(57)【特許請求の範囲】
【請求項１】
電極を収容するケースを備えた蓄電装置における端子構造であって、
前記ケースの内部と外部とを連通する連通孔を有する前記ケースの一側面部と、
前記連通孔において前記ケースの内部と外部とにわたって延在し、前記電極に電気的に接続された端子部材と、
前記ケースの外部において前記端子部材の外周面に取り付けられ、前記端子部材を前記一側面部に固定する固定部材と、を備え、
前記固定部材は、当該固定部材の外形を形成する面に形成された開口部から前記端子部材の外周面にまで連通する検査孔が形成されている、端子構造。
【請求項２】
前記検査孔は、前記端子部材の延在する方向に直交する方向に延在する、請求項１記載の端子構造。
【請求項３】
前記検査孔は、複数形成されている、請求項１又は２記載の端子構造。
【請求項４】
前記検査孔の内周面は、絶縁性材料により覆われている、請求項１〜３の何れか一項に記載の端子構造。
【請求項５】
前記固定部材はナットであり、
前記ナットは、前記端子部材の外周面に形成されてネジ溝に螺合可能に形成されている、請求項１〜４のいずれか一項記載の端子構造。
【請求項６】
正極電極及び負極電極を収容するケースと、
請求項１〜４のいずれか一項記載の端子構造を有する正極端子及び負極端子と、
を備えている、蓄電装置。
【請求項７】
正極端子と負極端子とが互いに対向する方向を第一方向としたとき、
前記検査孔は、前記第一方向に沿って延在し、
前記正極端子及び前記負極端子の一方に形成される前記検査孔における前記開口部は、前記正極端子及び前記負極端子の他方が配置されている側とは反対側に形成されている、請求項６記載の蓄電装置。
【請求項８】
正極電極及び負極電極を収容するケースと、請求項１〜５のいずれか一項記載の端子構造を有する正極端子及び負極端子と、を備えている、複数の蓄電装置と、
複数の前記蓄電装置の前記端子部材同士がバスバーによって電気的に接続されている、蓄電モジュール。
【請求項９】
正極端子と負極端子とが互いに対向する方向を第一方向としたとき、
複数の前記蓄電装置のそれぞれに形成される前記検査孔の開口部は、一方向に配列された複数の前記蓄電装置を前記第一方向から見たときに全て目視可能に配置されている、請求項８記載の蓄電モジュール。
【発明の詳細な説明】
【技術分野】
【０００１】
本発明は、端子構造、蓄電装置及び蓄電モジュールに関する。
【背景技術】
【０００２】
複数のリチウムイオン電池等の蓄電装置を一方向に配列し、これらの蓄電装置が電気的に接続された蓄電モジュールが知られている。このような蓄電モジュールの組立は、一方向に複数の蓄電装置を配列し、これらの蓄電装置をエンドプレートによって挟持することによって拘束した後、それぞれの蓄電装置の端子をバスバーによって電気的に接続することによって行われる。組み立てられた蓄電モジュールは、例えば、特許文献１に開示されるような短絡検査等、様々な検査が実施される。このような検査の一つとして、バスバーを端子に締結した後に、正極端子と負極端子との接触抵抗を取得する検査（以後、「接触抵抗検査」と称する。）がある。これにより、バスバーを端子に締結した際の異物の噛み込み有無を確認している。
【０００３】
組立後の電池モジュールは、正極端子及び負極端子の上端面は、バスバーに接触され、正極端子及び負極端子の外周面は、正極端子及び負極端子をケースに固定するためのナット等により覆われているので、正極端子及び負極端子に、抵抗測定器のリード棒を直接接触させることができない。そこで、上記接触抵抗検査では、バスバーが締結される前の状態において、正極端子と負極端子との電池の内部抵抗を交流抵抗計で測定（測定値Ｒ１）する。具体的には、正極端子及び負極端子に交流抵抗計のリード棒を接触させることにより抵抗を測定する。次に、バスバーを締結した後、バスバーを含めた正極端子と負極端子との抵抗を交流抵抗計で測定（測定値Ｒ２）する。具体的には、正極端子及び負極端子にそれぞれ締結されたバスバーに交流抵抗計のリード棒を接触させることにより接触抵抗を測定する。そして、測定値Ｒ２から測定値Ｒ１を引き算することにより、正極端子又は負極端子のバスバー締結部分の接触抵抗値を取得している。
【先行技術文献】
【特許文献】
【０００４】
【特許文献１】特開２０１５−９５３１２号公報
【発明の概要】
【発明が解決しようとする課題】
【０００５】
しかしながら、上記従来の接触抵抗検査では、バスバーを締結する前と後とで、２回の測定を行う必要があり作業性に劣る。また、電池の内部抵抗は交流抵抗計でしか測定できないが、交流抵抗計は周囲の金属による渦電流の影響を受けるため、直流抵抗計を用いる場合と比べて精度に劣る。
【０００６】
そこで、本発明は、正極端子又は負極端子のバスバー締結部分の接触抵抗を検査する際の作業性及び検査精度を向上させることができる、端子構造、蓄電装置及び蓄電モジュールを提供することを目的とする。
【課題を解決するための手段】
【０００７】
本発明の端子構造は、電極を収容するケースを備えた蓄電装置における端子構造であって、ケースの内部と外部とを連通する連通孔を有するケースの一側面部と、連通孔において前記ケースの内部と外部とにわたって延在し、電極に電気的に接続された端子部材と、ケースの外部において端子部材の外周面に取り付けられ、端子部材を一側面部に固定する固定部材と、を備え、固定部材は、当該固定部材の外形を形成する面に形成された開口部から端子部材の外周面にまで連通する検査孔が形成されている。
【０００８】
この構成の端子構造では、端子部材の外周面に取り付けられる固定部材に、端子部材の外周面にアクセスするための検査孔が形成されている。すなわち、蓄電モジュールとして上記構成の端子構造を有する蓄電装置が組み付けられた場合であっても、バスバー等の接続部材を取り外すことなく、端子部材へのアクセス経路が確保される。これにより、上記検査孔を介して抵抗計のリード棒を正極端子と負極端子に直接接触させて、正極端子と負極端子との接触抵抗を測定できるようになるので、従来、蓄電モジュールとして組み立てる前に行っていた正極端子と負極端子との接触抵抗の測定を省略することができる。また、抵抗計のリード棒を正極端子と負極端子とに直接接触させることができるので、交流抵抗計ではなく直流抵抗計を使用することができる。これらの結果、正極端子又は負極端子のバスバー締結部分の接触抵抗を検査する際の作業性及び検査精度を向上させることができる。
【０００９】
本発明の端子構造では、端子部材が延在する方向に直交する方向に延在していてもよい。この構成の端子構造によれば、検査孔に挿入された抵抗計のリード棒を端子部材に直交させ易くなる。これにより、検査精度をより向上させることができる。
【００１０】
本発明の端子構造では、検査孔は、複数形成されていてもよい。この端子構造によれば、抵抗計のリード棒を挿入する検査孔の選択肢が増えるので、電池モジュールとして組み付けられた際に、リード棒を挿入することができない事象が発生する確率を低減することができる。
【００１１】
本発明の端子構造では、検査孔の内周面は、絶縁性材料により覆われていてもよい。この端子構造によれば、抵抗計のリード棒が検査孔の内周面に接触した場合であっても、接触抵抗を正確に測定することができる。
【００１２】
本発明の端子構造では、固定部材はナットであり、ナットは、端子部材の外周面に形成されてネジ溝に螺合可能に形成されていてもよい。この端子構造によれば、端子部材をケースの一側面部に容易に固定することができる。
【００１３】
本発明の蓄電装置は、正極電極及び負極電極を収容するケースと、上記端子構造を有する正極端子及び負極端子と、を備えている。この構成の蓄電モジュールでは、正極端子又は負極端子のバスバー締結部分の接触抵抗を検査する際の作業性及び検査精度を向上させることができる。
【００１４】
本発明の蓄電装置によれば、正極端子と負極端子とが互いに対向する方向を第一方向としたとき、検査孔は、第一方向に沿って延在し、正極端子及び負極端子の一方に形成される検査孔における開口部は、正極端子及び負極端子の他方が配置されている側とは反対側に形成されていてもよい。
【００１５】
この構成の蓄電装置では、抵抗計のリード棒を正極端子と負極端子との間から検査孔に挿入することはなく、常に蓄電装置の外側方向から内側方向に向かってリード棒を挿入することになる。これにより、正極端子又は負極端子のバスバー締結部分の接触抵抗を検査する際の作業性をより向上させることができる。
【００１６】
本発明の蓄電モジュールは、正極電極及び負極電極を収容するケースと、上記端子構造を有する正極端子及び負極端子と、を備えている、複数の蓄電装置と、複数の蓄電装置の端子部材同士がバスバーによって電気的に接続されている。
【００１７】
この構成の蓄電モジュールでは、端子部材の外周面に取り付けられる固定部材に、端子部材の外周面にアクセスするための検査孔が形成されている。すなわち、蓄電装置が蓄電モジュールとして組み付けられた場合であっても、バスバーを取り外すことなく、端子部材へのアクセス経路が確保される。これにより、上記検査孔を介して抵抗計のリード棒を正極端子又は負極端子に直接接触させて、正極端子又は負極端子のバスバー締結部分の接触抵抗を測定できるようになるので、従来、蓄電モジュールとして組み立てる前に行っていた正極端子と負極端子との電池の内部抵抗の測定を省略することができる。また、抵抗計のリード棒を正極端子と負極端子とに直接接触させることができるので、交流抵抗計だけでなく直流抵抗計を使用することができる。これらの結果、正極端子又は負極端子のバスバー締結部分の接触抵抗を検査する際の作業性及び検査精度を向上させることができる。
【００１８】
本発明の蓄電モジュールは、正極端子と負極端子とが互いに対向する方向を第一方向としたとき、複数の蓄電モジュールのそれぞれに形成される検査孔の開口部は、一方向に配列された複数の蓄電装置を第一方向から見たときに全て目視可能に配置されていてもよい。
【００１９】
この構成の蓄電モジュールでは、抵抗計のリード棒を正極端子と負極端子との間から検査孔に挿入することはなく、常に蓄電装置の外側方向から内側方向に向かってリード棒を挿入することになる。これにより、正極端子又は負極端子のバスバー締結部分の接触抵抗を検査する際の作業性をより向上させることができる。
【発明の効果】
【００２０】
本発明によれば、バスバー締結後の正極端子と負極端子との接触抵抗を検査する際の作業性及び検査精度を向上させることができる。
【図面の簡単な説明】
【００２１】
【図１】一実施形態に係る電池セルを備える電池モジュールを示す斜視図である。
【図２】一実施形態に係る電池セルの断面図である。
【図３】図２に示す正極端子の近傍を拡大して示した断面図である。
【図４】図３に示すナットの検査孔を示した斜視図である。
【図５】図２に示す負極端子の近傍を拡大して示した断面図である。
【図６】図１の電池モジュールを第一方向から見た側面図である。
【発明を実施するための形態】
【００２２】
以下、図面を参照して一実施形態について説明する。図面の説明において、同一要素には同一符号を付し、重複する説明を省略する。図面の寸法比率は、説明のものと必ずしも一致していない。また、説明中、「上」、「下」などの方向を示す語は、図面に示された状態に基づいた便宜的な語である。
【００２３】
図１に示されるように、電池モジュール（蓄電モジュール）１は、一方向（配列方向Ｄ）に配列される複数の電池セル（蓄電装置）１０を有する。複数の電池セル１０は、拘束具３によって一体化されている。拘束具３は、例えば、複数の電池セル１０を並設方向から挟み込む一対のエンドプレート３Ａと、電池セル１０の側方に配置されると共に一対のエンドプレート３Ａ，３Ａを連結する棒状の連結部材３Ｂと、複数の電池セル１０をエンドプレート３Ａによって挟み込んだ状態でエンドプレート３Ａに連結部材３Ｂを固定するボルト３Ｃと、によって構成されている。この拘束具３により、複数の電池セル１０に対して拘束荷重が付加されている。
【００２４】
複数の電池セル１０は、隣接する電池セル１０，１０の一方の電池セル１０の負極端子７０と、他方の電池セル１０の正極端子５０とがバスバー５によって接続されている。複数の電池セル１０の配列方向は、一つのケース１１に配置された正極端子５０と負極端子７０との軸を繋ぐ直線に略直交する方向である。言い換えれば、正極端子５０と負極端子７０とが互いに対向する方向（第一方向）に略直交する方向である。電池セル１０間には、それらの電池セル１０が短絡することを防止すると共に、放熱のために放熱板といった部材（図示せず）が設けられてもよい。
【００２５】
図２に示されるように、電池セル１０は、ケース１１と電極組立体２０とを備えている。ケース１１は、例えば略直方体状の筐体であり、例えば、アルミニウム等の金属により形成されている。
【００２６】
電極組立体２０は、ケース１１に収容されている。電極組立体２０は、複数の正極電極３０及び複数の負極電極４０と、正極電極３０と負極電極４０との間に配置された複数のセパレータと、を備えている。正極電極３０及び負極電極４０は、セパレータを介して所定の方向（図２の紙面奥行き方向）に沿って交互に積層されている。セパレータは、例えば微多孔膜であり、正極電極３０と負極電極４０との間で電解液を保持している。電解液は、例えば有機溶媒系又は非水系の電解液である。
【００２７】
正極電極３０は、例えばアルミニウム箔等の金属箔と、金属箔の両面に設けられた正極活物質層と、を有している。正極活物質層は、例えば、正極活物質とバインダとを含んで構成される。正極活物質としては、例えば、複合酸化物、金属リチウム、及び硫黄等が挙げられる。複合酸化物は、例えば、マンガン、ニッケル、コバルト、及びアルミニウムの少なくとも一つと、リチウムと、を含む。正極電極３０は、上縁に形成されたタブ３３を有する。タブ３３には、正極活物質が担持されておらず、正極電極３０は、タブ３３を介して導電部材３４に電気的に接続されている。
【００２８】
負極電極４０は、例えば銅箔等の金属箔と、金属箔の両面に設けられた負極活物質層と、を有している。負極活物質層は、例えば、負極活物質とバインダとを含んで構成される。負極活物質としては、例えば、黒鉛、高配向性グラファイト、メソカーボンマイクロビーズ、ハードカーボン、及びソフトカーボン等のカーボン、リチウム、ナトリウム等のアルカリ金属、金属化合物、ＳｉＯｘ（０．５≦ｘ≦１．５）等の金属酸化物、並びに、ホウ素添加炭素等が挙げられる。負極電極４０は、上縁に形成されたタブ４３を有する。タブ４３には、負極活物質が担持されておらず、負極電極４０は、タブ４３を介して導電部材４４に電気的に接続されている。
【００２９】
次に、正極端子５０及び負極端子７０の端子構造について説明する。まず、正極端子５０の端子構造について説明する。図３に示されるように、正極端子５０は、蓋部材（ケースの一側面部）１２と、端子部材５１と、ナット６０と、第一絶縁部６５と、第二絶縁部６７と、封止部６９と、を備えている。
【００３０】
蓋部材１２は、ケース１１の一側面部を構成する板状の部材である。蓋部材１２は、例えば、ケース１１の上面を構成し、ケース１１の蓋として機能する。蓋部材１２は、ケース１１と同様に、例えばアルミニウム等の金属により形成されている。蓋部材１２は、ケース１１の開口形状に対応するように、例えば長方形に形成されている。蓋部材１２は、例えば、その外縁部がケース１１に溶接されることによってケース１１に接合され、ケース１１の内部を気密に封止する。
【００３１】
蓋部材１２は、ケース１１の内部と外部とを連通する連通孔１３を有している。つまり、連通孔１３は、蓋部材１２の内面１２ａから外面１２ｂまで貫通している。連通孔１３は、例えば平面視において円形状に形成されている。連通孔１３は、後述するように、ケース１１内において電極組立体２０に電気的に接続された端子部材５１を、ケース１１の外部に引き出すための孔である。
【００３２】
端子部材５１は、連通孔１３においてケース１１の内部から外部に突出する突出部５３と、ケース１１の内部において蓋部材１２と対向する対向部５５と、を有している。端子部材５１は、例えば、アルミニウム等の金属によって形成される。
【００３３】
突出部５３は、略円筒形状に形成され、連通孔１３においてケース１１の内部と外部とにわたって延在している。突出部５３の外周面５３ａには、後段にて詳述するナット６０が締結される。外周面５３ａのうち、少なくともナット６０が締結される部分には、ナット６０の締結のためのねじ溝が形成されている。また、突出部５３の上面５３ｂには、上述したバスバー５の固定用のボルト６が締結される締結孔５３ｃが形成されている。バスバー５は、上面５３ｂで端子部材５１に接触することにより端子部材５１に電気的に接続されている。
【００３４】
対向部５５は、突出部５３と一体に形成され、ケース１１の内部において蓋部材１２と対向する。対向部５５は、例えば、内面１２ａに沿うように平板状に延在している。対向部５５は、中央部において突出部５３の基端に接続されている。
【００３５】
端子部材５１は、正極電極３０に電気的に接続されている。具体的には、対向部５５から延設された集電板５７が、導電部材３４に電気的に接続されている。上述したように、導電部材３４は、正極電極３０のタブ３３に電気的に接続されている（図２参照）。これにより、端子部材５１は、導電部材３４を介して正極電極３０に電気的に接続されている。
【００３６】
ナット６０は、端子部材５１を蓋部材１２に対して固定する。ナット６０は、ケース１１の外部において突出部５３に取り付けられている。具体的には、ナット６０は、上述した突出部５３の外周面５３ａに形成されたねじ溝に螺合されることにより、端子部材５１をケース１１の蓋部材１２に固定する。ナット６０は、例えば、ステンレス等の金属によって形成されている。また、ナット６０は、当該ナット６０の外形を形成する面に形成された開口部６１ａから端子部材５１における突出部５３の外周面５３ａにまで連通する検査孔６１が形成されている。
【００３７】
検査孔６１は、端子部材５１（突出部５３）の延在する方向に直交する方向であって、蓋部材１２の面方向に平行な方向に延在する。検査孔６１は、図４に示されるように、延在方向に直交する断面の形状が円形であり、その半径は、例えば、１．７ｍｍ〜２．０ｍｍである。また、延在方向における開口部６１ａから突出部５３の外周面５３ａまでの長さは、例えば、３．０ｍｍ〜５．０ｍｍである。検査孔６１は、例えば、六角ナットに孔加工を施すことにより形成することができる。
【００３８】
検査孔６１は、正極端子５０の端子部材５１及び負極端子７０の端子部材５１の一方に形成される検査孔６１における開口部６１ａは、正極端子５０及び負極端子７０の他方が配置されている側とは反対側に形成されている。具体的には、図６に示されるように、複数の電池セル１０のそれぞれに形成される検査孔６１の開口部６１ａは、一方向に配列された複数の電池セル１０を、正極端子５０と負極端子７０とが互いに対向する方向（第一方向）から見たときに全て目視可能に配置されている。言い換えれば、検査孔６１は、全て同じ方向に向かって開口している。
【００３９】
このような構成とする場合、例えば、端子部材５１の外周面に形成されたネジ溝に対するナット６０の螺合開始位置と、開口部６１ａの位置との関係を一定にすることが好ましい。これにより、ナット６０の締め付けトルクをほぼ一定にしたまま、検査孔６１の開口部６１ａを同じ方向に向けることができる。
【００４０】
検査孔６１の内周面は、絶縁性のポリアセタール、超高分子量ポリエチレン、又はポリエチレンテレフタレートにより形成されたコーティング層６３が形成されている。コーティング層６３の厚みは、例えば、０．５ｍｍ〜１．０ｍｍとすることができる。
【００４１】
第一絶縁部６５は、ナット６０と蓋部材１２との間に配置されている。第一絶縁部６５は、ナット６０と蓋部材１２との間に配置される本体部６５ａと、本体部６５ａと一体に形成された延在部６５ｂ及び縁部６５ｃと、を有している。第一絶縁部６５は、蓋部材１２の外面１２ｂ、蓋部材１２の連通孔１３、端子部材５１、及びナット６０に接触しており、蓋部材１２と端子部材５１とを電気的に絶縁する。第一絶縁部６５は、例えば、ポリフェニレンスルフィド等の樹脂材料によって形成されている。
【００４２】
本体部６５ａは、突出部５３を囲むように形成され、例えば、円環状に形成されている。本体部６５ａの内周面は、突出部５３の外周面５３ａに接触している。延在部６５ｂは、本体部６５ａの中央部から下方に延設されている。延在部６５ｂは、突出部５３を囲むように筒状に形成されている。延在部６５ｂは、突出部５３と連通孔１３との間で、ケース１１の外部から内部まで延在している。縁部６５ｃは、本体部６５ａの外周部から突設している。
【００４３】
第二絶縁部６７は、蓋部材１２の内面１２ａ及び対向部５５に接触し、蓋部材１２と端子部材５１の対向部５５とを電気的に絶縁する。第二絶縁部６７は、例えば、ポリフェニレンスルフィド等の樹脂材料によって形成されている。
【００４４】
封止部６９は、ケース１１の内部に充填される電解液がケース１１の外部へ漏出することを防止する。封止部６９は、例えば、ゴム等の弾性を有する材料によって形成されたＯリングである。封止部６９は、蓋部材１２の内面１２ａ、端子部材５１、及び第二絶縁部６７により囲われる空間に配置されている。
【００４５】
次に、負極端子７０の端子構造について説明する。図５に示されるように、負極端子７０は、蓋部材１２と、端子部材５１と、ナット６０と、第一絶縁部６５と、第二絶縁部６７と、封止部６９と、を備えている。なお、負極端子７０の端子構造は、端子部材５１が、例えば銅等の金属によって形成されている点と、端子部材５１が導電部材４４を介して負極電極４０に電気的に接続されている点と、を除き同じ構成となっている。したがって、ここでは、同じ構成には、同じ参照符号を付して説明を省略する。
【００４６】
電池モジュールは、以下のように組み立てられる。最初に、図２に示されるような電池セル１０が準備され（本実施形態では七個の電池セル１０を準備する）、複数の電池セル１０が一方向に配列される。一方向に配列された電池セル１０は、拘束具３によって一体化される。具体的には、複数の電池セル１０は、並設方向から一対のエンドプレート３Ａ，３Ａによって挟持され、電池セル１０の側方に配置されると共に一対のエンドプレート３Ａ，３Ａを連結する棒状の連結部材３Ｂとボルト３Ｃによって拘束荷重が付加される。
【００４７】
次に、端子部材５１の上面５３ｂにバスバー５が載置された状態で、ボルト６が締結孔５３ｃに締結されることにより、バスバー５が端子部材５１に固定される。このような方法で、隣接する電池セル１０，１０の一方の電池セル１０の負極端子７０と、他方の電池セル１０の正極端子５０とがバスバー５によって接続され、複数の電池セル１０が直列に接続され、蓄電モジュールとなる。そして、上記検査孔６１を介して直流抵抗計のリード棒が正極端子５０の端子部材５１と負極端子の端子部材５１とに直接接触されて、正極端子５０と負極端子との接触抵抗が測定される。
【００４８】
上記実施形態の電池モジュール１では、端子部材５１の外周面５３ａに取り付けられるナット６０に、端子部材５１の外周面５３ａにアクセスするための検査孔６１が形成されている。すなわち、電池モジュール１として電池セル１０が組み付けられた場合であっても、バスバー５を取り外すことなく、端子部材５１へのアクセス経路が確保される。これにより、上記検査孔６１を介して直流抵抗計のリード棒を正極端子５０の端子部材５１と負極端子の端子部材５１に直接接触させて、正極端子５０と負極端子との接触抵抗を測定できるようになる。このため、従来、電池モジュール１として組み立てる前に行っていた正極端子５０の端子部材５１と負極端子の端子部材５１との接触抵抗の測定を省略することができる。また、抵抗計のリード棒を正極端子５０の端子部材５１と負極端子の端子部材５１とに直接接触させることができるので、交流抵抗計だけでなく直流抵抗計を使用することができる。これらの結果、バスバー５を締結後の正極端子５０と負極端子７０との接触抵抗を検査する際の作業性及び検査精度を向上させることができる。
【００４９】
上記実施形態では、端子部材５１が延在する方向に直交する方向に検査孔６１が延在しているので、検査孔６１に挿入された抵抗計のリード棒を端子部材５１に直交状態で接触させ易くなる。これにより、検査精度をより向上させることができる。
【００５０】
上記実施形態では、検査孔６１の内周面は、絶縁性材料により覆われるコーティング層６３が形成されている。これにより、抵抗計のリード棒が検査孔６１の内周面に接触した場合であっても、接触抵抗を精度高く測定することができる。
【００５１】
上記実施形態では、複数の電池セル１０のそれぞれに形成される検査孔６１の開口部６１ａは、一方向に配列された複数の電池セル１０を、正極端子５０と負極端子７０とが互いに対向する方向（第一方向）から見たときに全て目視可能に配置されている。これにより、正極端子５０と負極端子７０との接触抵抗を検査する際には、抵抗計のリード棒を正極端子５０と負極端子７０との間から検査孔６１に挿入することはなく、常に電池セル１１０の外側方向から内側方向に向かってリード棒を挿入することになる。この結果、バスバー５締結後の正極端子５０と負極端子７０との接触抵抗を検査する際の作業性をより向上させることができる。
【００５２】
以上、一実施形態について説明したが、本発明は、上記実施形態に限られるものではなく、発明の趣旨を逸脱しない範囲で種々の変更が可能である。
【００５３】
上記実施形態では、ナット６０に一つの検査孔６１が形成されている例を挙げて説明したが、複数の検査孔６１が形成されていてもよい。例えば、固定部材として六角ナットを採用する場合には、六角ナットの外形を形成する六つの側面のうち、連続する２面の一方に開口部６１ａが形成される構成（合計三つの検査孔６１が形成される構成）とすることができる。この場合、六角ナットに複数の検査孔６１を設ける場合であっても、六角ナットの強度の低下を抑制することができる。
【００５４】
このような構成とすれば、抵抗計のリード棒を挿入する検査孔６１の選択肢が増えるので、電池セル１０が電池モジュール１として組み付けられた際に、リード棒を挿入することができない事象が発生する確率を低減することができる。また、ナット６０を端子部材５１に締結する際にトルクによって締め付けが管理される場合であっても、正極端子５０及び負極端子７０の一方に形成される検査孔６１における開口部６１ａが、正極端子５０及び負極端子７０の他方が配置されている側とは反対側に向く可能性が高くなる。この結果、バスバー５締結後の正極端子５０と負極端子７０との接触抵抗を検査する際の作業性をより向上させることができる。
【００５５】
上記実施形態では、検査孔６１が、端子部材５１の突出部５３の延在方向に直交するように延在する例を挙げて説明したが、これに限定されない。例えば、検査孔６１は、端子部材５１の突出部５３の延在方向に斜め方向に交差するように延在していてもよい。また、上記実施形態では、ナット６０の外形を形成する面の一部である側面に開口部６１ａが形成されている例を挙げて説明したが、例えば、ナット６０の上面の一部に開口部６１ａが形成されてもよい。また、検査孔６１の開口部６１ａは、どの方向を向いていてもよい。
【００５６】
また、例えば、積層型の電極組立体２０に代えて巻回型の電極組立体が用いられてもよい。巻回型の電極組立体は、帯状の正極、帯状の負極及び帯状のセパレータを積層させた状態で軸線の周りに巻回することによって作製される。
【００５７】
蓄電装置として、電池セル１０の他に、例えば電気二重層キャパシタなどが挙げられる。
【符号の説明】
【００５８】
１…電池モジュール（蓄電モジュール）、３…拘束具、５…バスバー、６…ボルト、１０…電池セル（蓄電装置）、１１…ケース、１２…蓋部材（ケースの一側面部）、１３…連通孔、２０…電極組立体、３０…正極電極、４０…負極電極、５０…正極端子、５１…端子部材、５３…突出部、６０…ナット（固定部材）、６１…検査孔、６１ａ…開口部、６３…コーティング層、７０…負極端子。
【図１】
0006572710.tif 000002
【図２】
0006572710.tif 000003
【図３】
0006572710.tif 000004
【図４】
0006572710.tif 000005
【図５】
0006572710.tif 000006
【図６】
0006572710.tif 000007